(57)【要約】【課題】中間転写ドラムを備える画像形成装置において、複数の露光ユニットを感光体ドラムに対して近接・離間可能とする。【解決手段】画像形成装置は、４つの感光体ドラム４１と、各感光体ドラム４１から転写された現像剤像を用紙に転写する中間転写ドラム４５と、各感光体ドラム４１に対応して設けられ、対応する感光体ドラム４１に近接配置されて当該感光体ドラム４１の表面を露光する複数の露光ユニット４３と、複数の露光ユニット４３を対応する感光体ドラム４１に近接する位置と離間する位置との間で装置本体に対して移動可能に保持するアッパーカバー５とを備える。感光体ドラム４１は、中間転写ドラム４５の周面に沿って並んで配置されている。各露光ユニット４３は、露光光を出射する露光側端部４３Ｅが、中間転写ドラム４５の軸方向から見て、感光体ドラム４１の半径と中間転写ドラム４５の半径との和を半径とする円弧Ａ１上に配置されている。【選択図】図２
2013045048.tif 000002
【特許請求の範囲】
【請求項１】
装置本体と、
現像剤像が形成される少なくとも３つの感光体ドラムと、
前記各感光体ドラムから転写された現像剤像を記録シートに転写する中間転写ドラムと、
前記各感光体ドラムに対応して設けられ、対応する感光体ドラムに近接配置されて当該感光体ドラムの表面を露光する複数の露光ユニットと、
前記複数の露光ユニットを対応する感光体ドラムに近接する位置と離間する位置との間で前記装置本体に対して移動可能に保持する保持部材と、を備えた画像形成装置であって、
前記感光体ドラムは、前記中間転写ドラムの周面に沿って並んで配置され、
前記各露光ユニットは、露光光を出射する露光側端部が、前記中間転写ドラムの軸方向から見て、前記感光体ドラムの半径と前記中間転写ドラムの半径との和を半径とする円弧上に配置されていることを特徴とする画像形成装置。
【請求項２】
前記保持部材は、回動することで前記装置本体に設けられた開口を開閉するカバーであり、前記複数の露光ユニットを１つずつ保持する複数の保持部を有しており、
前記各露光ユニットは、前記保持部に保持される保持側端部が、前記軸方向から見て、前記感光体ドラムの半径と前記中間転写ドラムの半径との和を半径とする円弧上に配置されていることを特徴とする請求項１に記載の画像形成装置。
【請求項３】
前記保持部材は、前記軸方向から見て、前記感光体ドラムの半径と前記中間転写ドラムの半径との和を半径とする円弧形状をなす円弧状部を有し、当該円弧状部に前記複数の保持部が設けられていることを特徴とする請求項２に記載の画像形成装置。
【請求項４】
前記保持部材は、前記装置本体から排出された記録シートが載置される載置部を有することを特徴とする請求項１から請求項３のいずれか１項に記載の画像形成装置。
【発明の詳細な説明】
【技術分野】
【０００１】
本発明は、中間転写ドラムを備えた画像形成装置に関する。
【背景技術】
【０００２】
近年、その周面上に複数の感光体ドラムが配置され、各感光体ドラムから転写された現像剤像を用紙に転写する１つのドラム状の中間転写体を備えた画像形成装置が提案されている。
【０００３】
例えば、特許文献１に開示された画像形成装置は、レーザスキャナユニットから出力されたレーザ光により感光体ドラムの表面を露光することで、感光体ドラム上に静電潜像を形成し、この静電潜像に現像カートリッジから現像剤を供給することで、感光体ドラム上に現像剤像を形成している。そして、各感光体ドラム上の現像剤像を中間転写体を介して用紙に転写することで、用紙に画像を形成している。
【先行技術文献】
【特許文献】
【０００４】
【特許文献１】特開２０１０−２５０３４６号公報
【発明の概要】
【発明が解決しようとする課題】
【０００５】
ところで、前記したような画像形成装置において、レーザスキャナユニットの代わりに、ＬＥＤヘッドのような対応する感光体ドラムに近接して配置される複数の露光ユニットを採用した場合には、感光体ドラムを含むプロセスカートリッジの交換などを行うために、露光ユニットを感光体ドラムに対して近接・離間可能に構成することが望まれる。しかしながら、従来は、この点について検討がなされていなかった。
【０００６】
本発明は、以上の背景に鑑みてなされたものであり、中間転写ドラムを備える画像形成装置において、複数の露光ユニットを感光体ドラムに対して近接・離間可能とすることを目的とする。
【課題を解決するための手段】
【０００７】
前記した目的を達成するため、本発明の画像形成装置は、装置本体と、現像剤像が形成される少なくとも３つの感光体ドラムと、各感光体ドラムから転写された現像剤像を記録シートに転写する中間転写ドラムと、各感光体ドラムに対応して設けられ、対応する感光体ドラムに近接配置されて当該感光体ドラムの表面を露光する複数の露光ユニットと、複数の露光ユニットを対応する感光体ドラムに近接する位置と離間する位置との間で装置本体に対して移動可能に保持する保持部材とを備えている。
感光体ドラムは、中間転写ドラムの周面に沿って並んで配置されている。
各露光ユニットは、露光光を出射する露光側端部が、中間転写ドラムの軸方向から見て、感光体ドラムの半径と中間転写ドラムの半径との和を半径とする円弧上に配置されている。
【０００８】
このような構成によれば、各露光ユニットを互いに略平行に配置することが可能となるので、例えば、各露光ユニットが中間転写ドラムを中心として放射状に配置されるような構成と比較して、複雑な機構を採用することなく、複数の露光ユニットを一度に感光体ドラムに対して比較的に容易に近接・離間させる構成が可能となる。
【０００９】
また、各露光ユニットを互いに略平行に配置しつつ、各感光体ドラムの表面の略同じ位置を略同じ角度（感光体ドラムの表面への光の入射角度）で露光することが可能となるので、画像品質を良好に保つことができる。
【００１０】
前記した画像形成装置において、前記保持部材は、回動することで装置本体に設けられた開口を開閉するカバーであり、複数の露光ユニットを１つずつ保持する複数の保持部を有する構成とすることができる。
この場合、各露光ユニットは、保持部に保持される保持側端部が、前記軸方向から見て、感光体ドラムの半径と中間転写ドラムの半径との和を半径とする円弧上に配置されていることが好ましい。
【００１１】
このような構成によれば、カバーの開閉により複数の露光ユニットを容易かつ一度に感光体ドラムに対して近接・離間させることができる。また、各色の露光ユニットの間で共通部品を使用することが可能となるので、低コスト化を図ることができる。
【００１２】
前記した画像形成装置において、保持部材は、前記軸方向から見て、感光体ドラムの半径と中間転写ドラムの半径との和を半径とする円弧形状をなす円弧状部を有し、当該円弧状部に複数の保持部が設けられている構成とすることができる。
【００１３】
このような構成によれば、保持部材が各露光ユニットの配置に倣った形状となるので装置の小型化を図ることができる。また、保持部材が前記軸方向から見て直線状に延びているような構成と比較して、保持部材の強度を向上させることが可能となる。
【００１４】
前記した各画像形成装置において、保持部材は、装置本体から排出された記録シートが載置される載置部を有する構成とすることができる。
【００１５】
このような構成によれば、載置部を保持部材とは別に設ける必要がなくなるので、低コスト化を図ることができる。
【発明の効果】
【００１６】
本発明によれば、各露光ユニットの露光側端部が感光体ドラムの半径と中間転写ドラムの半径との和を半径とする円弧上に配置されていることで、各露光ユニットを互いに略平行に配置することが可能となり、複数の露光ユニットを一度に感光体ドラムに対して近接・離間させることが可能となる。
【図面の簡単な説明】
【００１７】
【図１】実施形態に係る画像形成装置の概略構成を示す図である。
【図２】画像形成部とアッパーカバーの拡大図である。
【図３】露光ユニットの配置の説明図である。
【図４】アッパーカバーを開いた状態の画像形成装置を示す図である。
【発明を実施するための形態】
【００１８】
次に、本発明の実施形態について、適宜図面を参照しながら詳細に説明する。なお、以下の説明では、まず、実施形態に係る画像形成装置の一例としてのカラープリンタ１の概略構成を簡単に説明し、その後、本発明の特徴部分に係るカラープリンタ１（中間転写ドラム４５周辺）の詳細な構成について説明する。
【００１９】
また、以下の説明において、方向は、カラープリンタ１を使用するユーザを基準にした方向で説明する。すなわち、図１における右側を「前」、左側を「後」とし、手前側を「左」、奥側を「右」とする。また、図１における上下方向を「上下」とする。
【００２０】
＜カラープリンタの概略構成＞
図１に示すように、カラープリンタ１は、装置本体の一例としての本体筐体２と、記録シートの一例としての用紙Ｓを供給する給紙部３と、供給された用紙Ｓに画像を形成する画像形成部４とを主に備えている。
【００２１】
給紙部３は、用紙Ｓが載置される給紙トレイ３１と、用紙Ｓを給紙トレイ３１から画像形成部４に供給する給紙機構３２とを主に備えている。給紙トレイ３１は、下端部を中心として本体筐体２に対して揺動可能に支持されており、使用しないときには収納位置（鎖線参照）に収納可能に構成されている。給紙トレイ３１に載置された用紙Ｓは、給紙機構３２によって１枚ずつ分離されて画像形成部４（中間転写ドラム４５と転写ローラ４６の間）に供給される。
【００２２】
画像形成部４は、マゼンタ、シアン、イエロー、ブラックの各色に対応した４つ（複数）の感光体ドラム４１、帯電ユニット４２、露光ユニット４３および現像ユニット４４と、中間転写ドラム４５と、転写ローラ４６と、定着ユニット４７とを主に備えて構成されている。
【００２３】
感光体ドラム４１は、帯電ユニット４２による帯電の後、露光ユニット４３によって露光されることで表面に静電潜像が形成されるドラム状の感光体であり、中間転写ドラム４５の上部で中間転写ドラム４５の周面に沿って並んで配置されている。
【００２４】
帯電ユニット４２は、感光体ドラム４１の表面を一様に帯電させる帯電ローラ（符号省略）を有しており、各感光体ドラム４１に対応して１つずつ設けられ、対応する感光体ドラム４１の前斜め上方に配置されている。なお、本発明において、帯電ユニット４２は、帯電ローラを有する構成に限定されず、例えば、スコロトロン型帯電器やコロトロン型帯電器、鋸歯帯電器などを有する構成であってもよい。
【００２５】
露光ユニット４３は、帯電後の感光体ドラム４１の表面を露光するユニットであり、各感光体ドラム４１に対応して１つずつ設けられ、対応する感光体ドラム４１の上方前寄りに近接配置されている。露光ユニット４３の詳細な構成や配置については後述する。
【００２６】
現像ユニット４４は、感光体ドラム４１上の静電潜像に現像剤としてのトナーを供給することで感光体ドラム４１上にトナー像（現像剤像）を形成するユニットであり、各感光体ドラム４１に対応して１つずつ設けられ、対応する感光体ドラム４１の上方後寄りに配置されている。各現像ユニット４４は、それぞれ、符号を省略して示す現像ローラや、図示しない供給ローラ、層厚規制ブレード、そして、マゼンタ、シアン、イエロー、ブラックのいずれかのトナーが収容されるトナー収容部などを備えている。
【００２７】
本実施形態において、感光体ドラム４１、および、対応する帯電ユニット４２と現像ユニット４４は、一体化されたプロセスカートリッジ（符号省略）（本実施形態では４つ備えることとなる。）として、後述するアッパーカバー５を開いたときにできる開口２Ａ（図４参照）から本体筐体２に対して着脱可能に装着されるように構成されている。
【００２８】
中間転写ドラム４５は、各感光体ドラム４１からトナー像が転写されるドラム状の中間転写体である。
転写ローラ４６は、転写バイアスが印加されることで中間転写ドラム４５上のトナー像を引き寄せ、中間転写ドラム４５との間を搬送される用紙Ｓに転写するローラであり、中間転写ドラム４５の後斜め下方に配置されている。
【００２９】
定着ユニット４７は、用紙Ｓ上に転写されたトナー像を用紙Ｓに熱定着するためのユニットであり、符号を省略して示す、加熱ローラと、加熱ローラと対向配置されて加熱ローラを押圧する加圧ローラとを主に備えている。
【００３０】
以上のように構成された画像形成部４では、感光体ドラム４１の表面が、帯電ユニット４２により一様に帯電された後、露光ユニット４３によって露光されることで、感光体ドラム４１上に画像データに基づく静電潜像が形成される。そして、静電潜像が形成された感光体ドラム４１の表面に現像ユニット４４からトナーが供給されることで、静電潜像が可視像化されて感光体ドラム４１上にトナー像が形成される。
【００３１】
各感光体ドラム４１上に形成された各色のトナー像は、中間転写ドラム４５上に順次重ね合わせて転写される。そして、給紙部３から搬送された用紙Ｓが、中間転写ドラム４５と転写ローラ４６との間を搬送されることで、中間転写ドラム４５上のトナー像が用紙Ｓに転写される。トナー像が転写された用紙Ｓは、加熱ローラと加圧ローラの間を搬送されることでトナー像が熱定着される。
【００３２】
トナー像が熱定着された用紙Ｓは、本体筐体２内に設けられた搬送ローラ２３および排出ローラ２４によって本体筐体２内から外部に排出され、載置部の一例としての排紙トレイ５１Ａ上に載置される。
【００３３】
＜カラープリンタの詳細構成＞
カラープリンタ１は、本発明に特に関連する構成として、図２に示すように、４つの感光体ドラム４１と、４つの露光ユニット４３と、中間転写ドラム４５と、保持部材の一例としてのアッパーカバー５とを備えている。
【００３４】
各露光ユニット４３は、感光体ドラム４１の軸方向（左右方向）に沿って延びるように形成されており、それぞれ、露光ヘッド４３Ａと、支持フレーム４３Ｂとを主に備えている。
【００３５】
露光ヘッド４３Ａは、感光体ドラム４１の表面と所定の間隔をあけて対向配置され、その下端部に、露光光を出射する左右方向に配列された図示しない複数のＬＥＤや、ＬＥＤから出射された露光光を感光体ドラム４１の表面に結像させる図示しないレンズなどを備えている。この露光ヘッド４３Ａは、画像データに基づいて各ＬＥＤが明滅することで、帯電後の感光体ドラム４１の表面を露光する。
【００３６】
支持フレーム４３Ｂは、露光ヘッド４３Ａを支持する部材であり、略上下方向に延びるように形成されている。支持フレーム４３Ｂの上端部は、アッパーカバー５の後述する保持部５２に保持されている。
【００３７】
各露光ユニット４３は、露光ヘッド４３Ａの下端部である露光側端部４３Ｅが、中間転写ドラム４５の軸方向（左右方向）から見て、感光体ドラム４１の半径ｒと中間転写ドラム４５の半径Ｒとの和、すなわちＲ＋ｒを半径とする円弧Ａ１上に配置されている。このような配置により、各露光ユニット４３は、支持フレーム４３Ｂが互いに略平行に配置可能となり、かつ、各感光体ドラム４１の表面の略同じ位置を略同じ角度で露光可能となる。
【００３８】
図３に示すように、感光体ドラム４１の表面のうち、露光ユニット４３によって露光される任意の露光位置Ｅの座標（ｘ，ｙ）は、それぞれ、以下の式（１），（２）で示すことができる。
ｘ＝（Ｒ＋ｒ）ｃｏｓθ＋ｒ・ｃｏｓα  ・・・（１）
ｙ＝（Ｒ＋ｒ）ｓｉｎθ＋ｒ・ｓｉｎα  ・・・（２）
【００３９】
ここで、図３において、ｘ軸は、中間転写ドラム４５の中心を通るカラープリンタ１の設置面（水平面）に対して平行な軸であり、ｙ軸は、中間転写ドラム４５の中心を通るｘ軸に垂直な軸である。また、αは、感光体ドラム４１の中心を通るｘ軸に平行な線（ｘ軸）と、感光体ドラム４１の中心から露光位置Ｅを通って延びる直線Ｌとがなす角度である。
【００４０】
上記式（１），（２）と、関係式「ｓｉｎ2θ＋ｃｏｓ2θ＝１」とからθを消去すると、以下の式（３）を得ることができる。
（ｘ−ｒ・ｃｏｓα）2＋（ｙ−ｒ・ｓｉｎα）2＝（Ｒ＋ｒ）2  ・・・（３）
【００４１】
上記式（３）より、任意の露光位置Ｅ（座標（ｘ，ｙ））は、半径Ｒ＋ｒの円弧Ａ１’上に位置している。
【００４２】
このとき、各露光ユニット４３を各直線Ｌに沿うようにそれぞれ配置することで、各露光ユニット４３（支持フレーム４３Ｂ）は互いに略平行に配置されることとなる。また、各露光ユニット４３を各直線Ｌに沿うようにそれぞれ配置することで、各露光ユニット４３は、感光体ドラム４１の中心に向けて露光光を出射することになるので、各感光体ドラム４１の表面の略同じ位置にある露光位置Ｅを、略同じ角度αで露光することができることとなる。
【００４３】
そして、各感光体ドラム４１をより等しい条件で露光できるように、各露光ヘッド４３Ａと対応する感光体ドラム４１の表面との間隔を互いに等しくすると、図２に示したように、各露光ユニット４３の露光側端部４３Ｅは、それぞれ、半径Ｒ＋ｒの円弧Ａ１上に配置されることとなる。
【００４４】
アッパーカバー５は、後端部の回動軸５Ａを中心として本体筐体２に対して回動可能に支持されており、回動することで本体筐体２の上部に設けられた開口２Ａを開閉する（図１，４参照）。このアッパーカバー５は、本体筐体２に対して回動可能に支持されたカバー本体部５１と、４つの露光ユニット４３を１つずつ保持する４つ（複数）の保持部５２とを主に備えている。
【００４５】
カバー本体部５１は、閉じた状態の上面に、本体筐体２内から排出された用紙Ｓが載置される排紙トレイ５１Ａが設けられている。また、カバー本体部５１は、閉じた状態の下面に、左右方向から見て、半径Ｒ＋ｒの円弧Ａ３に沿った形状をなす円弧状部５１Ｂを有している。この円弧状部５１Ｂには、４つの保持部５２が、その円弧状面に沿って並ぶように設けられている。
【００４６】
各保持部５２の下端部には、それぞれ、露光ユニット４３の支持フレーム４３Ｂの上端部が連結されている。これにより、アッパーカバー５を開くことで、アッパーカバー５に保持された４つの露光ユニット４３を本体筐体２に対して移動させることができるようになっている。
【００４７】
より詳細に、各露光ユニット４３は、図１に示す対応する感光体ドラム４１に近接する位置（露光位置）から、アッパーカバー５を開くことで、図４に示す離間する位置まで移動可能となっている。さらに、各露光ユニット４３は、図４に示す感光体ドラム４１と離間する位置から、アッパーカバー５を閉じることで、図１に示す近接する位置まで移動可能となっている。
【００４８】
各保持部５２と各露光ユニット４３との連結部分、すなわち、支持フレーム４３Ｂ（露光ユニット４３）の上端部である保持側端部４３Ｍは、左右方向から見て、半径Ｒ＋ｒの円弧Ａ２上に配置されている。これにより、中間転写ドラム４５の周面上における露光ユニット４３の配置位置に応じて支持フレーム４３Ｂの略上下方向の長さをそれぞれ変更する必要がなくなるので、４つの露光ユニット４３の間で支持フレーム４３Ｂを共通部品化することが可能となる。
【００４９】
以上によれば、本実施形態において以下のような作用効果を得ることができる。
各露光ユニット４３の露光側端部４３Ｅが半径Ｒ＋ｒの円弧Ａ１上に配置されているので、各露光ユニット４３を互いに略平行に配置することが可能となる。これにより、例えば、各露光ユニット４３が中間転写ドラム４５を中心として放射状に配置されるような構成と比較して、複雑な機構を採用することなく、４つの露光ユニット４３を一度に感光体ドラム４１に対して比較的に容易に近接・離間させる構成が可能となる。
【００５０】
特に、本実施形態においては、４つの露光ユニット４３がアッパーカバー５に保持されているため、アッパーカバー５の開閉により４つの露光ユニット４３を容易かつ一度に感光体ドラム４１に対して近接・離間させることができる。そして、アッパーカバー５を開いた後は、感光体ドラム４１、帯電ユニット４２および現像ユニット４４が一体化されたプロセスカートリッジの交換を容易に行うことが可能となる。
【００５１】
また、本実施形態においては、各露光ユニット４３を互いに略平行に配置しつつ、各感光体ドラム４１の表面の略同じ位置である露光位置Ｅを、略同じ角度αで露光することが可能となるので、画像品質を良好に保つことができる。
【００５２】
また、本実施形態においては、各露光ユニット４３の保持側端部４３Ｍが半径Ｒ＋ｒの円弧Ａ２上に配置されているので、支持フレーム４３Ｂの共通部品化が可能となり、露光ヘッド４３Ａとともに、各色の露光ユニット４３の間で共通部品を使用することが可能となる。これにより、カラープリンタ１の低コスト化を図ることができる。
【００５３】
また、本実施形態においては、アッパーカバー５が半径Ｒ＋ｒの円弧Ａ３に沿った形状をなす円弧状部５１Ｂを有し、この円弧状部５１Ｂに保持部５２が設けられているので、アッパーカバー５が各露光ユニット４３の配置に倣った形状となるため、カラープリンタ１の小型化を図ることができる。また、アッパーカバー５が側面視において直線状に延びる形状をなすような構成と比較して、その強度を向上させることが可能となる。
【００５４】
さらに、本実施形態においては、アッパーカバー５が排紙トレイ５１Ａを有しているので、排紙トレイ５１Ａをアッパーカバー５とは別に設ける必要がなくなるため、カラープリンタ１の低コスト化を図ることができる。
【００５５】
以上、本発明の実施形態について説明したが、本発明は前記実施形態に限定されるものではない。具体的な構成については、本発明の趣旨を逸脱しない範囲で適宜変更が可能である。
【００５６】
前記実施形態では、４つの感光体ドラム４１を備えるカラープリンタ１（画像形成装置）を例示したが、本発明はこれに限定されるものではない。言い換えると、本発明は、中間転写ドラムの周面に沿って並んで配置される３つ以上の感光体ドラムを備える画像形成装置に適用することができる。具体的には、例えば、本発明は、６つの感光体ドラムを備える画像形成装置に適用することができる。
【００５７】
前記実施形態では、露光光を出射する部材としてＬＥＤを備えた露光ユニット４３を例示したが、本発明はこれに限定されるものではない。例えば、露光ユニットは、露光光を出射する部材として、ＬＥＤの代わりに、ＥＬ素子や蛍光体などを備えていてもよい。また、露光ユニットは、蛍光灯やＬＥＤなどのバックライトの出射側に、液晶素子やＰＬＺＴ素子などの光学シャッタが配列された構成であってもよい。
【００５８】
前記実施形態では、保持部材としてのアッパーカバー５が回動することで本体筐体２（装置本体）の開口２Ａを開閉するように構成されていたが、本発明はこれに限定されるものではない。例えば、保持部材は、上下に平行移動することで装置本体の開口を開閉するように構成されていてもよい。
【００５９】
前記実施形態では、保持部材としてのアッパーカバー５が排紙トレイ５１Ａ（載置部）を有していたが、本発明はこれに限定されるものではない。例えば、載置部は、保持部材とは別に設けられていてもよい。具体的には、前記実施形態において、排紙トレイ（載置部）を本体筐体２の後部などに設けてもよい。
【００６０】
前記実施形態では、感光体ドラム４１、帯電ユニット４２および現像ユニット４４が一体化されたプロセスカートリッジとして本体筐体２に対して着脱可能に装着されるように構成されていたが、本発明はこれに限定されるものではない。例えば、前記実施形態において、現像ユニット４４のみがカートリッジとして本体筐体２に対して着脱可能に装着されるように構成されていてもよい。これによれば、感光体ドラムを寿命となるまで使用することができる。また、感光体ドラム４１や帯電ユニット４２などが個別に本体筐体２に対して着脱可能に装着されるように構成されていてもよい。
【００６１】
前記実施形態では、画像形成装置としてカラープリンタ１（プリンタ）を例示したが、本発明はこれに限定されず、例えば、フラットベッドスキャナなどの原稿読取装置を備える複写機や複合機などであってもよい。
【００６２】
前記実施形態では、記録シートとして、いわゆる普通紙などの用紙Ｓを例示したが、本発明はこれに限定されず、例えば、ＯＨＰシートなどであってもよい。
【符号の説明】
【００６３】
１      カラープリンタ
２      本体筐体
２Ａ    開口
５      アッパーカバー
４１    感光体ドラム
４３    露光ユニット
４３Ｅ  露光側端部
４３Ｍ  保持側端部
４５    中間転写ドラム
５１Ａ  排紙トレイ
５１Ｂ  円弧状部
５２    保持部
Ｓ      用紙
【図１】
2013045048.tif 000003
【図２】
2013045048.tif 000004
【図３】
2013045048.tif 000005
【図４】
2013045048.tif 000006